(57)【特許請求の範囲】
【請求項１】
釣竿の所定位置にリール装着部を設け、前側に移動フードを、後側に固定フードを、夫々設け、リール脚を載置するリール脚載置面を前記両フード間に設けており、
前記リール装着部の前側領域部は、構造用合成樹脂材で形成されて外周に雄ねじ部を設けた筒体が配設され、この外周にナット部材を螺合させて前記移動フードを前後移動可能にしており、前記筒体と前記固定フードとの間に、竿杆を挿通させ、ＥＶＡで形成した他の筒体を配設し、前記固定フードは合成樹脂材で形成されており、
前記移動フードが最も後退した位置における該移動フードの入口よりも後方位置であると共に、固定フードの入口位置よりも前方位置であって、前記他の筒体には、前記リール脚載置面とは径方向反対側に、側面視において頂部の前後に前側斜面と後側斜面とを有し、前側斜面の傾斜が後側斜面の傾斜に比較して急である山形状の膨出部を設けており、竿杆の長手方向に沿う前記山形状膨出部の幅は高さの２倍以上であって、前記山形状膨出部の高さは人差し指か中指の第１関節の幅以下であり、
該膨出部の頂部よりも後方位置の、少なくとも左右一方の側面に窪み部を設けている
ことを特徴とする釣竿。
【発明の詳細な説明】
【技術分野】
【０００１】
本発明は、リール装着部に特徴を有する釣竿に関する。
【背景技術】
【０００２】
キャスティング動作に主眼を置いたキャスティングロッドでは、所謂、後側フード位置の釣竿長手方向位置にトリガーを設け、釣竿が前方に引かれて飛ばされることを防止している。また、船竿であって、釣竿保持装置に保持させて釣り操作をするのではなく、手に把持して釣り操作を行う種類の釣竿がある。こうした釣竿では、リールと共にリール装着部を手に把持して釣り操作を行うが、仕掛けと共に釣竿を急に引き上げ、その後、釣竿を急に下す操作、即ち、しゃくり操作を繰り返すことが多い。この急な引き上げ操作では、釣竿は後方にずれようとし、また、急に下す操作では前方に滑り落ちようとする。
【発明の開示】
【発明が解決しようとする課題】
【０００３】
然しながら、上記のように、リール装着部を把持して釣り操作をする場合では、例えば前述した位置のトリガーがあっても役には立たない。
従って解決しようとする課題は、リールと共にリール装着部を把持して釣竿操作をする場合に、釣竿がずれ難くて安定し、釣り操作の快適な釣竿を提供することである。
【課題を解決するための手段】
【０００４】
請求項１に係る発明では、釣竿の所定位置にリール装着部を設け、前側に移動フードを、後側に固定フードを、夫々設け、リール脚を載置するリール脚載置面を前記両フード間に設けており、前記リール装着部の前側領域部は、構造用合成樹脂材で形成されて外周に雄ねじ部を設けた筒体が配設され、この外周にナット部材を螺合させて前記移動フードを前後移動可能にしており、前記筒体と前記固定フードとの間に、竿杆を挿通させ、ＥＶＡで形成した他の筒体を配設し、前記固定フードは合成樹脂材で形成されており、前記移動フードが最も後退した位置における該移動フードの入口よりも後方位置であると共に、固定フードの入口位置よりも前方位置であって、前記他の筒体には、前記リール脚載置面とは径方向反対側に、側面視において頂部の前後に前側斜面と後側斜面とを有し、前側斜面の傾斜が後側斜面の傾斜に比較して急である山形状の膨出部を設けており、竿杆の長手方向に沿う前記山形状膨出部の幅は高さの２倍以上であって、前記山形状膨出部の高さは人差し指か中指の第１関節の幅以下であり、該膨出部の頂部よりも後方位置の、少なくとも左右一方の側面に窪み部を設けていることを特徴とする釣竿を提供する。
【０００５】
請求項１では、リール脚載置面とは径方向反対側に、側面視が山形状を成している膨出部を設けており、該膨出部の頂部よりも後方位置の少なくとも左右一方の側面に窪み部を設けているため、両軸受型リールと共にリール装着部を把持した場合に、親指を両軸受型リール上に当て、例えば、人差し指を膨出部の頂部の前側斜面に掛け、人差し指に隣接した中指を頂部の後側斜面に押し当てつつ中指の先部を窪み部に位置させた状態で手首に違和感無く、自然な感じで快適に操作できる。こうした指の係合状態では、釣竿が前方に滑り落ちることは、人差し指と前側斜面との係合で防止でき、後方に滑り落ちることは、中指と後側斜面や窪み部との係合で防止できる。従って、シャクリ操作等を行っても釣竿が安定する。上記隣接した指の組み合わせとしては、中指と薬指の場合もあり、この場合も同様である。また、膨出部を設けている他の筒体はＥＶＡであるため、両軸受型リールと共にリール装着部を把持すれば把持感が良い。
【発明を実施するための最良の形態】
【０００６】
以下、本発明を図面を用いて詳細に説明する。図１は本発明に係る釣竿の例としての船竿の要部を示し、図２はリール装着部の構成部品を拡大図示し、図３はその中の重要部品１６の図を示し、（ｂ）は（ａ）の矢視線Ｂによる端面図、（ｃ）は（ａ）の矢視線Ｃによる端面図であり、図４は図３の矢視線Ｄ−Ｄによる断面図である。エポキシ樹脂等の合成樹脂をマトリックスとし、炭素繊維等の強化繊維で強化した竿杆１０の後方部の所定位置に、リール２０を装着させるリール装着部を設けている。このリール装着部の前後には、前側グリップＧ３と中間グリップＧ２を設けている。更には、釣竿後部領域には、後部グリップＧ１が設けられており、これら各グリップの部材には、合成樹脂の発泡性材としてのＥＶＡ（エチレン酢酸ビニル共重合体）が使用されている。天然や人工のコルクでも良い。
【０００７】
このリール装着部の前側領域部には合成樹脂材の筒体外周に雄ねじ部Ｎを設け、この雄ねじに螺合するナット部材ＮＴによって前後方向に移動できる移動フードＦ２が配設されている。この移動フードＦ２とナット部材ＮＴとは互いに相対回転可能であると共に、前後に互いに離れないように係止されている。また、移動フードのフード入口Ｆ２Ｋとは径方向反対側に図示しない突起が設けてあり、雄ねじ部の設けられた筒体には前後方向に延伸した図示しない溝が所定の長さ範囲に亘って形成されていて、前記移動フードの突起部がこの溝に係合している。これにより、移動フードは回転することなく前後方向に移動でき、そのフード入口Ｆ２Ｋの竿元方向への移動終端は２点鎖線Ｌ１で示す位置となっている。
【０００８】
また、リール装着部の後方領域部には、合成樹脂材で形成し、ステンレス等の金属材で外嵌した固定フードＦ１が設けられている。この固定フードと前記の雄ねじ部を設けている筒体との間に、竿杆１０の挿通可能な貫通孔１６Ｈを設けていると共に、ここではＥＶＡで形成された他の筒体１６を配設している。筒体１６の、前記移動フードと固定フードの各フード入口と同じ円周方向位置には、リール脚を載置するリール脚載置面１４が形成されている。筒体１６のリール脚載置面とは径方向反対側に、側面視が山形状の膨出部１２が形成されている。この膨出部の頂部１２Ｔの前側斜面１２Ａは、釣竿軸心ＣＬの方向に凹形状となっており、後側斜面１２Ｂは概ね直線状に形成されている。しかし、前側斜面は直線状であってもよく、後側斜面は直線状でなくてもよい。
【０００９】
この膨出部は、筒体１６の前端よりも後方であると共に、前記ラインＬ１よりも後方に設けられている。また、筒体１６の後端よりも前方であって、固定フードＦ１のフード入口Ｆ１Ｋよりも前方に設けられている。従って、前側斜面１２Ａの前方終点位置（裾野）の前には概ね筒状の領域１６Ａがあり、また、後側斜面１２Ｂの後方終点位置（裾野）の後ろには概ね筒状の領域１６Ｂがある。また、膨出部の頂部１２Ｔは標準サイズの両軸受型リールを装着した状態の、リール脚の長さ方向中央付近に位置している。筒状領域１６Ａ表面からの膨出部の高さＨと、側面視による山幅Ｂと、前側斜面の筒状領域１６Ａ近くにおける幅Ｗとの実施例は、夫々、８．５ｍｍ、２４ｍｍ、１８ｍｍであるが、各寸法は、隣接した指でこの膨出部を挟むようにして、手でリール装着部を把持しつつ釣竿操作できれば、その範囲で許容される。しかし、高さＨは人差し指か中指の第１間接の幅以下、幅Ｂは山の高さＨの２倍以上である。また、図３の（ｂ）（ｃ）に示されているように、膨出部１２の頂部付近を通る横断面では、釣竿軸心ＣＬの下側では、頂部の方向に細くなるように、略Ｖ字形状になっているので、手で把持した際に、把持具合がよい。
【００１０】
また、筒体１６の側面であって、後側斜面１２Ｂの後方終点位置（裾野）の近くには略楕円状の窪み部Ｋ１，Ｋ２が形成されている。この例では、左右両側に形成されている。従って、右手でも左手でも把持可能である。膨出部の前側斜面に人差し指（又は中指）をあてがい、後側斜面に中指（又は薬指）をあてがうと、中指（又は薬指）の指先腹部が丁度当接する位置に窪み部が形成されている。その窪み部の長手方向の中心軸（長軸）の上側方向が釣竿軸心ＣＬの元部側ラインとなす角度θ１は６０度であるが、４０〜８０度の範囲でよく、好ましくは、５０〜７０度である。しかし、円形であったり、矩形状であってもよい。一方、前記後側斜面１２Ｂの傾斜ラインＬ２は釣竿軸心ＣＬに対する角度θ２は２４度であり、１０〜４０度の範囲でよい。また、前側斜面１２Ａは後側斜面１２Ｂの傾斜よりも急である。
【００１１】
既述のように、筒体１６はＥＶＡで形成されているため、両軸受型リール２０と共にリール装着部を把持すれば、把持感が良い。しかし、日本ゴム協会規格（ＳＲＩＳ）の０１０１のＣ型による硬度は、この例では７５度±５度であるが、この硬度範囲としては６５〜８５度である。また、この筒体１６の長さに比べて厚肉でもあるため、リール装着部や把持部としての剛性は十分である。こうして両軸受型リールの上に親指を乗せ、人差し指と中指とで膨出部１２を挟むようにし、中指先部の腹部が窪み部に入りつつ、リール装着部を把持すると、釣竿が前方に滑り出すような操作の場合は、人差し指が膨出部１２の前側斜面に係止して滑り止めになる。また、釣竿が後方に滑り出すような操作の場合は、中指が膨出部の後側斜面と窪み部とに係止して滑り止めとなる。
【００１２】
本願の膨出部は、キャスティングロッドのトリガーのように長くは突出していないため、船に持ち込み、船で釣り場の移動をする際に、各竿を立てておくホルダーに収納させることもできる他、船上での釣竿操作の邪魔になることが防止できる。
【産業上の利用可能性】
【００１３】
本発明は船竿に利用できる。
【図面の簡単な説明】
【００１４】
【図１】図１は本発明に係る釣竿の要部側面図である。
【図２】図２は図１のリール装着部の構成部品の拡大図である。
【図３】図３は図２の中の重要部品の図を示し、（ｂ）は（ａ）の矢視線Ｂによる端面図、（ｃ）は（ａ）の矢視線Ｃによる端面図である。
【図４】図４は図３の矢視線Ｄ−Ｄによる断面図である。
【符号の説明】
【００１５】
１０                        竿杆
１２                        膨出部
１２Ｔ                      頂部
１２Ａ                      前側斜面
１２Ｂ                      後側斜面
Ｆ１                        固定フード
Ｆ１Ｋ                      固定フード入口
Ｆ２                        移動フード
Ｆ２Ｋ                      移動フード入口
【図１】
0004498937.tif 000002
【図２】
0004498937.tif 000003
【図３】
0004498937.tif 000004
【図４】
0004498937.tif 000005